【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
車両外部照明自動制御システムと共に使用するための遠方テールランプ検出システムであって、
レンズシステムアセンブリを有する少なくとも１つの光学システム、を備え、
前記レンズシステムアセンブリは、該レンズシステムアセンブリから１００から２５０メートル離れて位置する直径８から２０センチメートルの赤色テールランプアセンブリによって放射された光線をピクセルアレイ上に投射し、該投射された光線が実質的に少なくとも１つのピクセルピッチに亘るようにする、
ことを特徴とするシステム。
【請求項２】
前記投射された光線は、関連する明るさを有し、
前記少なくとも１つの光学システムは、前記明るさを正確に測定する、
請求項１に記載の遠方テールランプ検出システム。
【請求項３】
前記投射された光線は、関連するピーク波長を含み、
前記少なくとも１つの光学システムは、前記ピーク波長を正確に特定する、
請求項１に記載の遠方テールランプ検出システム。
【請求項４】
前記投射された光線は、関連する主要波長を含み、
前記少なくとも１つの光学システムは、前記主要波長を正確に特定する、
請求項１に記載の遠方テールランプ検出システム。
【請求項５】
車両外部照明自動制御システムで使用するための、小さな遠方の光源を検出することができる光源検出及び分類システムであって、
空間周波数カットオフを有する少なくとも１つの光学システムと、
ナイキスト周波数限界を有する少なくとも１つのピクセルアレイと、を備え、
前記空間周波数カットオフは、前記ナイキスト周波数限界に等しいか又はそれ以下である、
ことを特徴とするシステム。
【請求項６】
前記光源は、関連する明るさを有し、
前記光源検出及び分類システムは、前記明るさを正確に測定する、
請求項５に記載の光源検出及び分類システム。
【請求項７】
前記光源は、関連するピーク波長を含み、
前記光源検出及び分類システムは、前記ピーク波長を正確に特定する、
請求項５に記載の光源検出及び分類システム。
【請求項８】
前記光源は、関連する主要波長を含み、
前記光源検出及び分類システムは、前記主要波長を正確に特定する、
請求項５に記載の光源検出及び分類システム。
【請求項９】
前記光源と前記ピクセルアレイとの間に配置された少なくとも１つのスペクトルフィルタ材料を更に含む、
請求項５に記載の光源検出及び分類システム。
【請求項１０】
対向車のヘッドライトを先行する車両のテールランプから区別することができる、
請求項９に記載の光源検出及び分類システム。
【請求項１１】
対向車のヘッドライトを他の光源から区別することができる、
請求項９に記載の光源検出及び分類システム。
【請求項１２】
先行する車両のテールランプを他の光源から区別することができる、
請求項９に記載の光源検出及び分類システム。
【請求項１３】
前記少なくとも１つのスペクトルフィルタ材料は、顔料である、
請求項９に記載の光源検出及び分類システム。
【請求項１４】
前記顔料は、無機質である、
請求項１３に記載の光源検出及び分類システム。
【請求項１５】
前記少なくとも１つのスペクトルフィルタ材料は、前記ピクセルアレイ上に配置される、
請求項９に記載の光源検出及び分類システム。
【請求項１６】
前記少なくとも１つのスペクトルフィルタ材料が組み込まれた封入ブロックを更に含む、
請求項９に記載の光源検出及び分類システム。
【請求項１７】
前記少なくとも１つのスペクトルフィルタ材料が置かれた封入ブロックを更に含む、
請求項９に記載の光源検出及び分類システム。
【請求項１８】
封入ブロック及びレンズシステムアセンブリを更に含み、
前記レンズシステムアセンブリは、前記封入ブロックに取り付けられ、前記少なくとも１つのスペクトルフィルタ材料は、該封入ブロックと該レンズシステムアセンブリとの間に配置される、
請求項９に記載の光源検出及び分類システム。
【請求項１９】
前記少なくとも１つのスペクトルフィルタ材料が組み込まれたレンズシステムアセンブリを更に含む、
請求項９に記載の光源検出及び分類システム。
【請求項２０】
前記少なくとも１つのスペクトルフィルタ材料が置かれたレンズシステムアセンブリを更に含む、
請求項９に記載の光源検出及び分類システム。
【請求項２１】
前記光源と前記ピクセルアレイとの間に配置されたフォトクロミックスペクトルフィルタを更に含む、
請求項５に記載の光源検出及び分類システム。
【請求項２２】
前記光源と前記ピクセルアレイとの間に配置されたエレクトロクロミックスペクトルフィルタを更に含む、
請求項５に記載の光源検出及び分類システム。
【請求項２３】
封入ブロックと、該封入ブロックに取り付けられたレンズシステムアセンブリとを更に含む、
請求項５に記載の光源検出及び分類システム。
【請求項２４】
プリント基板を更に含み、
前記ピクセルアレイは、前記プリント基板に取り付けられ、前記封入ブロックは、該ピクセルアレイの上に成形されて該プリント基板に取り付けられる、
請求項２３に記載の光源検出及び分類システム。
【請求項２５】
前記レンズシステムは、ＵＶ硬化接着剤を用いて前記封入ブロックに取り付けられる、
請求項２３に記載の光源検出及び分類システム。
【請求項２６】
開口絞りを更に含む、
請求項５に記載の光源検出及び分類システム。
【請求項２７】
遠視野バッフルを更に含む、
請求項５に記載の光源検出及び分類システム。
【請求項２８】
車両外部照明自動制御システムで使用するための光源検出及び分類システムであって、
少なくとも１つのピクセルアレイと、
検出される光源と前記ピクセルアレイとの間に配置された少なくとも１つの着色スペクトルフィルタ材料と、を備えている、
ことを特徴とするシステム。
【請求項２９】
前記少なくとも１つの着色スペクトルフィルタ材料は、赤色を有する、
請求項２８に記載の光源検出及び分類システム。
【請求項３０】
前記着色スペクトルフィルタ材料は、５８０と６２０ナノメートルの間に５０％透過率の点を有する、
請求項２９に記載の光源検出及び分類システム。
【請求項３１】
前記着色スペクトルフィルタ材料は、６０５ナノメートルに５０％透過率の点を有する、
請求項３０に記載の光源検出及び分類システム。
【請求項３２】
前記少なくとも１つの着色スペクトルフィルタ材料は、赤外線を有する、
請求項２８に記載の光源検出及び分類システム。
【請求項３３】
前記着色スペクトルフィルタ材料は、６３０と７８０ナノメートルの間に５０％透過率の点を有する、
請求項２９に記載の光源検出及び分類システム。
【請求項３４】
前記着色スペクトルフィルタ材料は、６４０と７００ナノメートルの間に５０％透過率の点を有する、
請求項３０に記載の光源検出及び分類システム。
【請求項３５】
前記着色スペクトルフィルタ材料は、６８０ナノメートルに５０％透過率の点を有する、
請求項３０に記載の光源検出及び分類システム。
【請求項３６】
前記着色スペクトルフィルタ材料は、６６０ナノメートルに５０％透過率の点を有する、
請求項３０に記載の光源検出及び分類システム。
【請求項３７】
前記ピクセルアレイの一方の隣接する半分のピクセルは、前記スペクトルフィルタ材料でフィルタリングされる、
請求項２８に記載の光学システム。
【請求項３８】
前記ピクセルアレイの個々のピクセルは、フィルタリングされたピクセルとフィルタリングされないピクセルの交替するストライプが形成されるように前記スペクトルフィルタ材料でフィルタリングされる、
請求項２８に記載の光学システム。
【請求項３９】
前記ピクセルアレイの個々のピクセルは、フィルタリングされたピクセルとフィルタリングされないピクセルのチェッカーボードパターンが形成されるように前記スペクトルフィルタ材料でフィルタリングされる、
請求項２８に記載の光学システム。
【請求項４０】
赤色スペクトルフィルタ材料、緑色スペクトルフィルタ材料、及び青色スペクトルフィルタ材料は、前記検出される光源と前記ピクセルアレイの間に配置される、
請求項２８に記載の光学システム。
【請求項４１】
前記ピクセルアレイの赤色フィルタリングのピクセルは、緑色又は青色フィルタリングのいずれかのピクセルの数と比較して２倍ほど多い、
請求項４０に記載の光学システム。
【請求項４２】
前記ピクセルアレイの個々のピクセルは、バイエルパターンが形成されるようにフィルタリングされる、
請求項４０に記載の光学システム。
【請求項４３】
車両外部照明自動制御システムで使用するための反射光線検出及び分類システムであって、
少なくとも１つのピクセルアレイと、
検出される反射光線と前記ピクセルアレイとの間に配置された赤色スペクトルフィルタ材料と、を備えている、
ことを特徴とするシステム。
【請求項４４】
検出される反射光線とシステムの間に配置された赤外線フィルタ材料を更に含む、
請求項４３に記載の反射光線検出及び分類システム。
【請求項４５】
高い色温度を有するヘッドライトを更に含む、
請求項４３に記載の反射光線検出及び分類システム。
【請求項４６】
前記色温度は、３５００ケルビンよりも高い、
請求項４３に記載の反射光線検出及び分類システム。
【請求項４７】
前記色温度は、３７００ケルビンである、
請求項４３に記載の反射光線検出及び分類システム。
【請求項４８】
前記色温度は、４５００ケルビンよりも高い、
請求項４６に記載の反射光線検出及び分類システム。
【請求項４９】
前記少なくとも１つのヘッドライトは、高明るさ放電ランプである、
請求項４３に記載の反射光線検出及び分類システム。
【請求項５０】
前記少なくとも１つのヘッドライトは、少なくとも１つの発光ダイオードである、
請求項４３に記載の反射光線検出及び分類システム。
【請求項５１】
前記少なくとも１つのヘッドライトは、ハロゲン赤外線ランプである、
請求項４３に記載の反射光線検出及び分類システム。
【請求項５２】
前記少なくとも１つのヘッドライトは、ハロゲンランプである、
請求項４３に記載の反射光線検出及び分類システム。
【請求項５３】
前記少なくとも１つのヘッドライトは、青色強調ハロゲンランプである、
請求項４３に記載の反射光線検出及び分類システム。
【請求項５４】
前記ピクセルアレイの一方の隣接する半分のピクセルは、前記スペクトルフィルタ材料でフィルタリングされる、
請求項４３に記載の反射光線検出及び分類システム。
【請求項５５】
前記ピクセルアレイの個々のピクセルは、フィルタリングされたピクセルとフィルタリングされないピクセルの交替するストライプが形成されるように前記スペクトルフィルタ材料でフィルタリングされる、
請求項４３に記載の反射光線検出及び分類システム。
【請求項５６】
前記ピクセルアレイの個々のピクセルは、フィルタリングされたピクセルとフィルタリングされないピクセルのチェッカーボードパターンが形成されるように前記スペクトルフィルタ材料でフィルタリングされる、
請求項４３に記載の反射光線検出及び分類システム。
【請求項５７】
前記検出される光源と前記ピクセルアレイとの間に配置された緑色スペクトルフィルタ材料及び青色スペクトルフィルタ材料を更に含む、
請求項４３に記載の反射光線検出及び分類システム。
【請求項５８】
前記ピクセルアレイの赤色フィルタリングのピクセルは、緑色又は青色フィルタリングのいずれかのピクセルの数と比較して２倍ほど多い、
請求項５７に記載の光学システム。
【請求項５９】
前記ピクセルアレイの個々のピクセルは、バイエルパターンが形成されるようにフィルタリングされる、
請求項５７に記載の光学システム。
【請求項６０】
小さな遠方の光源を検出することができる、車両外部照明自動制御に使用するための光学システムであって、
複数のピクセルを有する少なくとも１つのピクセルアレイと、
任意の２つの隣接ピクセル間の最小中心間距離の逆数に等しいか又はそれ以下の空間周波数で最初にｅ-1まで低下する変調伝達関数と、を備えている、
ことを特徴とするシステム。
【請求項６１】
小さな狭いスペクトル帯域の遠方光源を検出することができる、車両外部照明自動制御に使用するための光学システムであって、
少なくとも一部分がスペクトルフィルタリングされた複数のピクセルを有する少なくとも１つのピクセルアレイと、
任意の２つの同様にフィルタリングされたピクセル間の最小中心間距離の逆数に等しいか又はそれ以下の空間周波数で最初にｅ-1まで低下する多色変調伝達関数と、を備えている、
ことを特徴とするシステム。
【請求項６２】
前記遠方の光源は、関連する明るさを含む光線を放射し、
前記光学システムは、明るさを正確に測定する、
請求項６０または６１に記載の光学システム。
【請求項６３】
前記遠方の光源は、関連するピーク波長を含む光線を放射し、
前記光学システムは、前記ピーク波長を正確に特定する、
請求項６０または６１に記載の光学システム。
【請求項６４】
前記遠方の光源は、関連する主要波長を含む光線を放射し、
前記光学システムは、前記主要波長を正確に特定する、
請求項６０または６１に記載の光学システム。
【請求項６５】
前記検出される光源と前記ピクセルアレイとの間に配置された少なくとも１つのスペクトルフィルタ材料を含む、
請求項６０に記載の光学システム。
【請求項６６】
前記ピクセルアレイの一方の隣接する半分のピクセルは、前記スペクトルフィルタ材料でフィルタリングされる、
請求項６５に記載の光学システム。
【請求項６７】
前記ピクセルアレイの個々のピクセルは、フィルタリングされたピクセルとフィルタリングされないピクセルの交替するストライプが形成されるように前記スペクトルフィルタ材料でフィルタリングされる、
請求項６５に記載の光学システム。
【請求項６８】
前記ピクセルアレイの個々のピクセルは、フィルタリングされたピクセルとフィルタリングされないピクセルのチェッカーボードパターンが形成されるように前記スペクトルフィルタ材料でフィルタリングされる、
請求項６５に記載の光学システム。
【請求項６９】
赤色スペクトルフィルタ材料、緑色スペクトルフィルタ材料、及び青色スペクトルフィルタ材料が、前記検出される光源と前記ピクセルアレイとの間に配置される、
請求項６５に記載の光学システム。
【請求項７０】
前記ピクセルアレイの赤色フィルタリングのピクセルは、緑色又は青色フィルタリングのいずれかのピクセルの数と比較して２倍ほど多い、
請求項６８に記載の光学システム。
【請求項７１】
前記ピクセルアレイの個々のピクセルは、バイエルパターンが形成されるようにフィルタリングされる、
請求項６８に記載の光学システム。
【請求項７２】
前記少なくとも１つのスペクトルフィルタ材料は、顔料である、
請求項６１または６５に記載の光学システム。
【請求項７３】
前記顔料は、無機質である、
請求項６１または７２に記載の光学システム。
【請求項７４】
前記検出される光源と前記ピクセルアレイとの間に配置されたフォトクロミックスペクトルフィルタを更に含む、
請求項６０または６１に記載の光学システム。
【請求項７５】
前記検出される光源と前記ピクセルアレイとの間に配置されたエレクトロクロミックスペクトルフィルタを更に含む、
請求項６０または６１に記載の光学システム。
【請求項７６】
封入ブロックと、該封入ブロックに取り付けられたレンズシステムアセンブリとを更に含む、
請求項６０または６１に記載の光学システム。
【請求項７７】
前記封入ブロックが取り付けられたプリント基板を更に含む、
請求項７６に記載の光学システム。
【請求項７８】
前記レンズシステムアセンブリは、ＵＶ硬化接着剤を用いて前記封入ブロックに取り付けられる、
請求項７７に記載の光学システム。
【請求項７９】
プリント基板を更に含み、
前記ピクセルアレイは、前記プリント基板に取り付けられ、前記封入ブロックは、該ピクセルアレイの上に成形されて該プリント基板に取り付けられる、
請求項７６に記載の光学システム。
【請求項８０】
前記レンズシステムアセンブリは、ＵＶ硬化接着剤を用いて前記封入ブロックに取り付けられる、
請求項７９に記載の光学システム。
【請求項８１】
開口絞りを更に含む、
請求項６０または６１に記載の光学システム。
【請求項８２】
遠視野バッフルを更に含む、
請求項６１または７６に記載の光学システム。
【請求項８３】
車両外部照明制御システムに使用するための、小さな遠方光源を検出することができる光学システムであって、
遠方の点光源をピクセルアレイ上に投射し、該投射された遠方の点光源が実質的に少なくとも１つのピクセルピッチに亘るようにするレンズシステムを備えている、
ことを特徴とする光学システム。
【請求項８４】
前記遠方の点光源は、直径が５から１５センチメートルの範囲であり、光学システムから１００から２５０メートルの間に位置する、
請求項８３に記載の光学システム。
【請求項８５】
前記投射された遠方の点光源は、実質的に少なくとも２つのピクセルピッチを覆う
請求項８３に記載の光学システム。
【請求項８６】
前記遠方の点光源は、単色である、
請求項８３に記載の光学システム。
【請求項８７】
車両外部照明自動制御システムに使用するための光学システムであって、
視野の第１の画像がピクセルアレイの第１の部分に形成され、視野の第２の画像がピクセルアレイの第２の部分に形成されるようにピクセルアレイ上に視野を投射するための二重レンズシステムアセンブリと、
前記視野と前記ピクセルアレイとの間に配置された少なくとも１つの着色スペクトルフィルタ材料とを備えている、
ことを特徴とする光学システム。
【請求項８８】
前記スペクトルフィルタ材料は、前記第１の画像がフィルタリングされ、前記第２の画像がフィルタリングされないように配置される、
請求項８７に記載の光学システム。
【請求項８９】
前記視野と前記ピクセルアレイとの間に配置された赤外線スペクトルフィルタ材料を更に含む、
請求項８７に記載の光学システム。
【請求項９０】
前記二重レンズシステムアセンブリの各レンズシステムは、対称的に切り落とされる、
請求項８７に記載の光学システム。
【請求項９１】
視野の第１の画像がピクセルアレイの第１の部分に形成され、視野の第２の画像がピクセルアレイの第２の部分に形成されるようにピクセルアレイ上に視野を投射するための二重レンズシステムアセンブリを備え、
前記二重レンズシステムアセンブリの各レンズシステムは、対称的に切り落とされる、
ことを特徴とする光学システム。
【請求項９２】
車両外部照明自動制御システムに使用するための光学システムであって、
プリント基板に取り付けられたピクセルアレイと、
前記ピクセルアレイの上に成形されて前記プリント基板に取り付けられた封入ブロックと、を備えている、
ことを特徴とする光学システム。
【請求項９３】
前記封入ブロックは、精密トランスファモールドされる、
請求項９２に記載の光学システム。
【請求項９４】
前記封入ブロックに取り付けられたレンズシステムアセンブリを更に含む、
請求項９２に記載の光学システム。
【請求項９５】
前記レンズシステムアセンブリは、ＵＶ硬化接着剤を用いて前記封入ブロックに取り付けられる、
請求項９４に記載の光学システム。
【請求項９６】
前記封入ブロックは、位置合わせ形態を含み、
前記レンズシステムアセンブリは、嵌め合い形態を含み、
前記レンズシステムアセンブリは、前記位置合わせ形態が前記嵌め合い形態を受けた状態で前記封入ブロックに取り付けられる、
請求項９４に記載の光学システム。
【請求項９７】
前記ピクセルアレイ内の各ピクセル上にマイクロレンズを更に含む、
請求項９２に記載の光学システム。
【請求項９８】
前記ピクセルアレイの近くに配置された光線散乱フィルムを更に含む、
請求項９２に記載の光学システム。
【請求項９９】
前記封入ブロックは、光学面を含み、レンズシステムアセンブリとして機能する、
請求項９２に記載の光学システム。
【請求項１００】
複数のカスケードレンズシステムを更に含み、
前記封入ブロックは、嵌め合い形態を有し、前記レンズシステムの各々は、該レンズシステムと該封入ブロックとの相互接続のための位置合わせ形態及び嵌め合い形態を有する、
請求項９２に記載の光学システム。
【請求項１０１】
可変焦点距離レンズシステムアセンブリを更に含む、
請求項９２に記載の光学システム。
【請求項１０２】
可変焦点レンズシステムを更に含む、
請求項９２に記載の光学システム。
【請求項１０３】
無色収差補正を提供するレンズシステムアセンブリを更に含む、
請求項９２に記載の光学システム。
【請求項１０４】
車両外部照明自動制御システムに使用するための光学システムを製造する方法であって、
ａ）取り付けられたピクセルアレイが該ピクセルアレイの上に成形されてプリント基板に取り付けられた封入ブロックを有する状態でプリント基板を準備する段階と、
ｂ）レンズシステムアセンブリ及び精密レンズ配置機械を準備する段階と、
ｃ）前記精密レンズ配置機械を利用して、前記レンズシステムを前記封入ブロックの近くの望ましい位置に配置する段階とを含む、
ことを特徴とする方法。
【請求項１０５】
前記精密レンズ配置機械は、ターゲットを含み、
前記光学システムは、前記レンズシステムアセンブリが前記精密レンズ配置機械によって前記望ましい位置に自動的に位置決めされるように、該精密レンズ配置システムと作動的に結合される、
請求項１０４に記載の光学システムを製造する方法。
【請求項１０６】
前記ターゲットは、液晶ディスプレイである、
請求項１０４に記載の光学システムを製造する方法。
【請求項１０７】
前記ピクセルアレイは、傾斜したエッジを含む、
請求項１０４に記載の光学システムを製造する方法。
【請求項１０８】
前記ピクセルアレイは、前記ピクセルの少なくとも一部分上にスペクトルフィルタ材料を含む、
請求項１１６に記載の光学システムを製造する方法。
【請求項１０９】
車両外部照明自動制御システムに使用するための光学システムを製造する方法であって、
ａ）取り付けられたピクセルアレイを有するプリント基板を準備する段階と、
ｂ）レンズシステムアセンブリを、該レンズシステムアセンブリが前記プリント基板に取り付けられるように前記ピクセルアレイの上に成形する段階とを含む、
ことを特徴とする方法。
【請求項１１０】
前記レンズシステムは、精密トランスファモールドされる、
請求項１０８に記載の光学システムを製造する方法。
【請求項１１１】
前記ピクセルアレイは、傾斜したエッジを含む、
請求項１０８に記載の光学システムを製造する方法。
【請求項１１２】
前記ピクセルアレイは、前記ピクセルの少なくとも一部分上にスペクトルフィルタ材料を含む、
請求項１０８に記載の光学システムを製造する方法。
【請求項１１３】
車両外部照明制御システムに使用するための光学システムであって、
一体形スペクトルフィルタ材料を有する２次的基板、
を含むことを特徴とする光学システム。
【請求項１１４】
前記スペクトルフィルタ材料は、前記２次的基板の表面上に被覆される、
請求項１１３に記載の光学システム。
【請求項１１５】
前記スペクトルフィルタ材料は、前記２次的基板内に組み込まれる、
請求項１１３に記載の光学システム。
【請求項１１６】
ピクセルアレイを更に含み、
前記２次的基板は、前記ピクセルアレイの表面に取り付けられる、
請求項１１３に記載の光学システム。